(57)【要約】【課題】タッチパネルを備える表示装置において、平置き設置された場合でもプーリング現象の発生を防止することが可能な表示装置を提供する。【解決手段】表示装置１は、表示部１２０とタッチパネル１１０と直下型のバックライト１３０とバックライトシャーシ１０２と表示装置１を支持する固定板３１０とを備え、固定板３１０は、バックライトシャーシ１０２の背面の第１端部と第２端部とを連結する連結板３１１を備え、連結板３１１とバックライトシャーシ１０２との間には所定の間隔ｔ１が形成され、連結板３１１は、前記所定の間隔ｔ１を調整する調整ネジ３１５ａ、３１５ｂを備え、調整ネジ３１５ａ、３１５ｂは、バックライトシャーシ１０２が背面側に湾曲するように前記所定の間隔ｔ１を調整する。【選択図】図８Ｂ
2019197339.tif 000002
【特許請求の範囲】
【請求項１】
画像を表示する表示部と、
前記表示部の表示面に対するタッチ操作を受け付けるタッチパネルと、
前記表示部及び前記タッチパネルの背面側に配置される複数の光源を含むバックライトと、
前記バックライトを収容するバックライトシャーシと、
前記バックライトシャーシの背面に取り付けられ、表示装置を支持する固定板と、
を備え、
前記固定板は、前記バックライトシャーシの背面の外周側の第１端部と、前記バックライトシャーシの背面の外周側の第２端部とを連結する連結板を備え、
前記連結板と前記バックライトシャーシの背面との間には所定の間隔が形成されており、
前記連結板は、前記所定の間隔を調整する調整部材を備え、
前記調整部材は、前記バックライトシャーシが背面側に湾曲するように前記所定の間隔を調整する、
表示装置。
【請求項２】
前記調整部材は、前記バックライトシャーシの背面の中央付近に配置される、
請求項１に記載の表示装置。
【請求項３】
前記調整部材はネジで構成されており、
前記ネジのネジ頭が前記固定板に固定され、前記ネジのネジ部が前記バックライトシャーシの背面に設けられたネジ穴に螺合されており、
前記ネジを締める方向に回すことにより、前記バックライトシャーシの中央付近の前記所定の間隔が狭くなって、前記バックライトシャーシが前記第１端部及び前記第２端部を支点にして背面側に湾曲する、
請求項１又は請求項２に記載の表示装置。
【請求項４】
前記ネジ穴は、ＶＥＳＡ（Video Electronics Standards Association）規格に準じた位置に設けられている、
請求項３に記載の表示装置。
【請求項５】
前記バックライトシャーシの中央付近は前記固定板に固定されており、
前記調整部材は、前記バックライトシャーシの背面の端部に配置されており、
前記調整部材はネジで構成されており、
前記ネジのネジ頭が前記固定板に固定され、前記ネジのネジ部が前記バックライトシャーシの背面の端部に設けられたネジ穴に螺合されており、
前記ネジを緩める方向に回すことにより、前記バックライトシャーシの端部側の前記所定の間隔が広くなって、前記バックライトシャーシが背面側に湾曲する、
請求項１に記載の表示装置。
【請求項６】
前記バックライトは、光学シートと、前記光学シートを支持する支持部材とを含み、
前記所定の間隔を調整することにより、前記光学シートと前記支持部材との間隔が調整される、
請求項１から請求項５の何れか１項に記載の表示装置。
【請求項７】
前記表示装置は、前記表示面が床面に対して平行又は傾斜するように設置されている、
請求項１から請求項６の何れか１項に記載の表示装置。
【発明の詳細な説明】
【技術分野】
【０００１】
本発明は、タッチパネルを備える表示装置に関する。
【背景技術】
【０００２】
タッチパネルを用いてユーザからの指示入力（タッチ）を受け付けるタッチパネル付き表示装置が広く利用されている。前記表示装置では、例えば、外部機器等から入力される画像を表示部（ディスプレイ）に表示しつつ、ユーザの指又はタッチペン等でタッチパネルに触れると、その触れた位置に手書きの文字、記号等の図形を書き込むことができる。従来、このような表示装置において、例えば、会議等において、表示面が床面（設置面）と平行となるように設置（平置き設置）して利用することが可能な表示装置が提案されている（例えば特許文献１参照）。
【先行技術文献】
【特許文献】
【０００３】
【特許文献１】特開２０１５−１７６４６７号公報
【発明の概要】
【発明が解決しようとする課題】
【０００４】
前記表示装置を平置き設置した場合、例えばタッチパネル及び光学シートの自重により、当該表示装置の内側（床面方向）に向かってタッチパネル及び光学シートに撓みが発生する。このため、バックライトが表示装置の背面側に配置される直下型バックライト方式の場合、光学シートが、当該光学シートを背面側から支持する支持部材（支持ピン）から局所的に押圧されて凹凸が発生する。これにより、タッチパネルにタッチ入力等で力が加わった場合に、凹凸部分に対応する液晶の配向が乱れ、所謂プーリング現象が生じるという問題がある。
【０００５】
本発明の目的は、タッチパネルを備える表示装置において、平置き設置された場合でもプーリング現象の発生を防止することが可能な表示装置を提供することにある。
【課題を解決するための手段】
【０００６】
本発明の一の態様に係る表示装置は、画像を表示する表示部と、前記表示部の表示面に対するタッチ操作を受け付けるタッチパネルと、前記表示部及び前記タッチパネルの背面側に配置される複数の光源を含むバックライトと、前記バックライトを収容するバックライトシャーシと、前記バックライトシャーシの背面に取り付けられ、表示装置を支持する固定板と、を備え、前記固定板は、前記バックライトシャーシの背面の外周側の第１端部と、前記バックライトシャーシの背面の外周側の第２端部とを連結する連結板を備え、前記連結板と前記バックライトシャーシの背面との間には所定の間隔が形成されており、前記連結板は、前記所定の間隔を調整する調整部材を備え、前記調整部材は、前記バックライトシャーシが背面側に湾曲するように前記所定の間隔を調整する。
【発明の効果】
【０００７】
本発明によれば、タッチパネルを備える表示装置において、平置き設置された場合でもプーリング現象の発生を防止することが可能である。
【図面の簡単な説明】
【０００８】
【図１】図１は、本発明の実施形態１に係る表示装置の構成を示すブロック図である。
【図２Ａ】図２Ａは、従来の表示装置において発生するプーリング現象を説明するための図である。
【図２Ｂ】図２Ｂは、従来の表示装置において発生するプーリング現象を説明するための図である。
【図２Ｃ】図２Ｃは、従来の表示装置において発生するプーリング現象を説明するための図である。
【図３】図３は、本発明の実施形態１に係る表示装置を背面側から見た背面図である。
【図４】図４は、図３の一部（枠Ａで囲った部分）を拡大した表示装置の部分拡大図である。
【図５】図５は、図４の矢印Ｂ方向から見た表示装置の部分側面図である。
【図６】図６は、図３の矢印Ｃ方向から見た表示装置の側面図である。
【図７】図７は、図３の矢印Ｄ方向から見た表示装置の側面図である。
【図８Ａ】図８Ａは、本発明の実施形態１に係る表示装置においてプーリング現象の発生を防止する構成を説明するための図である。
【図８Ｂ】図８Ｂは、本発明の実施形態１に係る表示装置においてプーリング現象の発生を防止する構成を説明するための図である。
【図９Ａ】図９Ａは、本発明の実施形態２に係る表示装置においてプーリング現象の発生を防止する構成を説明するための図である。
【図９Ｂ】図９Ｂは、本発明の実施形態２に係る表示装置においてプーリング現象の発生を防止する構成を説明するための図である。
【発明を実施するための形態】
【０００９】
［実施形態１］
以下、添付図面を参照しながら、本発明の実施形態について説明する。尚、以下の実施形態は、本発明を具体化した一例であって、本発明の技術的範囲を限定する性格を有さない。
【００１０】
図１に示すように、本発明の実施形態１に係る表示装置１は、タッチパネルディスプレイ１００と、バックライト１３０と、制御装置２００と、タッチペン（図示せず）を備えている。制御装置２００は、タッチパネルディスプレイ１００に接続され、タッチパネルディスプレイ１００を制御するコンピュータである。制御装置２００は、タッチパネルディスプレイ１００と一体に構成されてもよい。タッチペンは、制御装置２００にネットワーク（有線通信又は無線通信）を介して接続されている。尚、タッチペンは、省略されてもよい。
【００１１】
タッチパネルディスプレイ１００は、タッチパネル１１０と、表示部１２０（表示パネル）とを備えている。
【００１２】
表示部１２０は、画像を表示するディスプレイであり、例えば液晶ディスプレイである。
【００１３】
タッチパネル１１０は、表示部１２０の表示面に対するタッチ操作を受け付ける。タッチパネル１１０は、静電容量方式のタッチパネルであってもよいし、感圧式のタッチパネルであってもよい。すなわち、タッチパネル１１０は、タッチ等、利用者のタッチ操作を適宜受け付けることが可能な装置であればよい。タッチパネル１１０は、表示部１２０の前に配置されてもよい、表示部１２０の内部に配置されてもよい。
【００１４】
バックライト１３０は、タッチパネルディスプレイ１００の背面側に配置される。バックライト１３０は、後述（図８Ａ等）のように、タッチパネルディスプレイ１００の背面側に配置された光学シート１０１と、光学シート１０１の背面側において平面的に並べられた複数のＬＥＤ１０４（本発明の光源の一例）と、光学シート１０１の背面側において所定の間隔で配置された複数の支持部材１０５（支持ピン）と、ＬＥＤ１０４及び支持部材１０５が搭載されたＬＥＤ基板１０３とを含んでいる。すなわち、バックライト１３０は、複数のＬＥＤ１０４がタッチパネルディスプレイ１００の背面側に配置される、直下型のバックライトである。支持部材１０５は、光学シート１０１が熱等の影響により変形した場合にその可動範囲を限定して過大な変形を抑制する機能を有する。バックライト１３０を構成する光学シート１０１、ＬＥＤ１０４、支持部材１０５、及びＬＥＤ基板１０３は、バックライトシャーシ１０２に収容されている。
【００１５】
タッチペンは、ユーザがタッチパネルディスプレイ１００に対してタッチ操作（入力）するためのペンである。ユーザは、タッチペン又は指によりタッチパネルディスプレイ１００に対してタッチ操作を行う。
【００１６】
図１に示すように、制御装置２００は、記憶部２２０と、Ｉ／Ｆ２３０と、制御部２１０とを備えている。記憶部２２０には、制御装置２００が実行可能なコンピュータプログラムが格納されている。制御部２１０は、ＣＰＵ（Central Processing Unit）で構成されている。ユーザの操作により制御装置２００の起動が指示された場合（例えば、図示しない電源ボタンが押下された場合）、制御部２１０は、記憶部２２０からコンピュータプログラムを読み出して実行する。これにより、制御装置２００が起動する。
【００１７】
また、記憶部２２０には、制御装置２００が実行可能なコンピュータプログラムとして、例えばペンソフトウェアがインストールされている。制御装置２００が起動しているときに、ユーザの操作によりペンソフトウェアの起動が指示された場合、制御部２１０は、記憶部２２０からペンソフトウェアを読み出して実行する。これにより、ペンソフトウェアが制御装置２００上で起動する。
【００１８】
Ｉ／Ｆ２３０は、パーソナルコンピュータ（ＰＣ）、複合機、プロジェクタ等の外部機器（図示せず）を表示装置１に接続するためのインターフェースである。
【００１９】
制御部２１０は、入力検出部２１１と、表示制御部２１２とを備えている。制御部２１０は、例えば、タッチパネルディスプレイ１００に対して描画・入力された画像等のオブジェクトの表示を制御したり、他の外部機器から入力された画像の表示を制御したりする。
【００２０】
入力検出部２１１は、タッチパネルディスプレイ１００に対するタッチ操作の入力の位置を検出する。具体的には、入力検出部２１１は、タッチパネル１１０上（表示面上）においてタッチペン又はユーザの指によって入力（指定）された位置座標を検出する。
【００２１】
表示制御部２１２は、表示部１２０に画像等の情報を表示させる。例えば、表示制御部２１２は、外部機器から入力された画像を表示部１２０に表示させる。また表示制御部２１２は、入力検出部２１１により検出された位置座標に基づいて、入力の軌跡を表示部１２０に表示させる。
【００２２】
本実施形態１に係る表示装置１は、表示面が床面（設置面）に対して直角（垂直）になるように設置（縦置き設置）したり、表示面が床面に対して斜めになるように設置（傾斜設置）したり、表示面が設定面に対して平行（水平）になるように設置（平置き設置）して利用することが可能である。例えば、表示装置１は、表示面の床面に対する角度を垂直角度から水平角度まで調整可能な角度調整機構を備えてもよい。ユーザは、角度調整機構により任意の角度に調整して、表示装置１を利用することができる。
【００２３】
ここで、従来の表示装置を平置き設置した場合に生じるプーリング現象について説明する。図２Ａ、図２Ｂ及び図２Ｃは、従来の表示装置を平置き設置した状態を示す側面図である。
【００２４】
図２Ａに示すように、光学シート１０１、ＬＥＤ１０４、支持部材１０５、及びＬＥＤ基板１０３は、バックライトシャーシ１０２に収容されている。バックライトシャーシ１０２の背面には、表示装置を設置固定する設置台５００が取り付けられている。設置台５００は、ＶＥＳＡ（Video Electronics Standards Association）（登録商標）規格に準じた構造を有しており、バックライトシャーシ１０２の背面中央部分にネジ固定される。
【００２５】
表示装置を平置き設置した場合、図２Ｂに示すように、タッチパネルディスプレイ１００及び光学シート１０１の自重により、タッチパネルディスプレイ１００及び光学シート１０１が、中央部分を中心に撓みが発生する。図２Ａは、前記撓みが発生していない状態を示している。図２Ａ及び図２Ｂに示すように、タッチパネルディスプレイ１００及び光学シート１０１に撓みが発生すると、光学シート１０１とバックライトシャーシ１０２との間隔Ｓ１が狭くなる。
【００２６】
図２Ｂの状態で使用していると、タッチパネルディスプレイ１００及び光学シート１０１がさらに撓み、図２Ｃに示すように、光学シート１０１が支持部材１０５から局所的に押圧されて凹凸が発生する。これにより、タッチパネルディスプレイ１００にタッチ入力等で力が加わった場合に、凹凸部分に対応する液晶の配向が乱れ、プーリング現象が生じる。特に、上述の構成では、設置台５００が表示装置の中央部分だけを下から支持する構造であるため、表示装置の外周側が自重により下方に撓み易く、これにより前記間隔Ｓ１がさらに狭くなる。また、タッチパネルディスプレイ１００が大型化（例えば８０インチ）すると、表示装置の重量が大きくなり、前記間隔Ｓ１がさらに狭くなるため、プーリング現象がより顕著に表れる。また、表示装置を平置き設置して利用する場合には、ユーザがタッチパネルディスプレイ１００上に手又は肘を着きながら利用することも考えられる。この場合、タッチパネルディスプレイ１００の表示面に更なる力が加わるため、プーリング現象がより顕著に表れる。
【００２７】
これに対して、本実施形態１に係る表示装置１は、平置き設置された場合でもプーリング現象の発生を防止することが可能な構成を有している。
【００２８】
図３は、表示装置１を背面側から見た背面図である。表示装置１のバックライトシャーシ１０２の背面には、固定板３１０、３２０が設けられている。固定板３１０は、バックライトシャーシ１０２の一方の長辺側（図３の上側）に配置され、固定板３２０は、バックライトシャーシ１０２の他方の長辺側（図３の下側）に配置されている。
【００２９】
固定板３１０は、バックライトシャーシ１０２の背面の一方の短辺側（図３の右側）の外周の端部（本発明の第１端部の一例）にネジ固定される補強板３１２ａ（本発明の第１補強板の一例）と、補強板３１２ａにネジ固定されるハンドル部３１３ａと、バックライトシャーシ１０２の背面の他方の短辺側（図３の左側）の外周の端部（本発明の第２端部の一例）にネジ固定される補強板３１２ｂ（本発明の第２補強板の一例）と、補強板３１２ｂにネジ固定されるハンドル部３１３ｂと、補強板３１２ａ、３１２ｂの間に配置され、一端３１１ａが補強板３１２ａにネジ固定され、他端３１１ｂが補強板３１２ｂにネジ固定される連結板３１１と、を備えている。連結板３１１は、プレート３１４ａ、３１４ｂと、プレート３１４ａの貫通穴（ネジ穴）に挿入された調整ネジ３１５ａと、プレート３１４ｂの貫通穴（ネジ穴）に挿入された調整ネジ３１５ｂと、を備えている。
【００３０】
同様に、固定板３２０は、バックライトシャーシ１０２の背面の一方の短辺側（図３の右側）の外周の端部（本発明の第１端部の一例）にネジ固定される補強板３２２ａ（本発明の第１補強板の一例）と、補強板３２２ａにネジ固定されるハンドル部３２３ａと、バックライトシャーシ１０２の背面の他方の短辺側（図３の左側）の外周の端部（本発明の第２端部の一例）にネジ固定される補強板３２２ｂ（本発明の第２補強板の一例）と、補強板３２２ｂにネジ固定されるハンドル部３２３ｂと、補強板３２２ａ、３２２ｂの間に配置され、一端３２１ａが補強板３２２ａにネジ固定され、他端３２１ｂが補強板３２２ｂにネジ固定される連結板３２１と、を備えている。連結板３２１は、プレート３２４ａ、３２４ｂと、プレート３２４ａの貫通穴（ネジ穴）に挿入された調整ネジ３２５ａと、プレート３２４ｂの貫通穴（ネジ穴）に挿入された調整ネジ３２５ｂと、を備えている。ハンドル部３１３ａ、３１３ｂ、３２３ａ、３２３ｂは、表示装置１を設置する際又は角度を調整する際にユーザが把持する部分である。
【００３１】
図４は、図３の一部（枠Ａで囲った部分）を拡大した表示装置１の部分拡大図であり、図５は、図４の矢印Ｂ方向から見た表示装置１の部分側面図である。図６は、図３の矢印Ｃ方向から見た表示装置１の側面図である。
【００３２】
バックライトシャーシ１０２の端部は強固な板金で形成されており、耐荷重性能が高くなっている。図４及び図５に示すように、補強板３１２ａは、バックライトシャーシ１０２の端部にネジ固定されている。他の補強板３１２ｂ、３２２ａ、３２２ｂについても同様である。また連結板３１１は、補強板３１２ａ、３１２ｂにネジ固定され、連結板３２１は、補強板３２２ａ、３２２ｂにネジ固定されている。このため、固定板３１０は、バックライトシャーシ１０２の背面の一方側において強固に固定されており、固定板３２０は、バックライトシャーシ１０２の背面の他方側において強固に固定されている。すなわち、表示装置１は、図６に示すように、固定板３１０、３２０によって表示装置１の端部が支持されることにより、全体として支持されている。連結板３１１、３２１の中央部分は、バックライトシャーシ１０２に直接固定されておらず、バックライトシャーシ１０２の背面との間に所定の間隔が形成されている。連結板３１１は、調整ネジ３１５ａ、３１５ｂを介してバックライトシャーシ１０２に固定されており、連結板３２１は、調整ネジ３２５ａ、３２５ｂを介してバックライトシャーシ１０２に固定されている。調整ネジ３１５ａ、３１５ｂ、３２５ａ、３２５ｂは、バックライトシャーシ１０２の背面の中央付近（ＶＥＳＡ規格に準じた位置）に配置される。調整ネジ３１５ａ、３１５ｂ、３２５ａ、３２５ｂは、本発明の調整部材の一例である。
【００３３】
尚、固定板３１０、３２０は、補強板３１２ａ、３１２ｂ、３２２ａ、３２２ｂが省略されてもよい。この場合、連結板３１１、３２１それぞれの端部が、バックライトシャーシ１０２の背面の外周側の端部に直接固定されてもよい。すなわち、連結板３１１の端部３１１ａがバックライトシャーシ１０２の端部（図２では右端部）に直接固定され、連結板３１１の端部３１１ｂがバックライトシャーシ１０２の端部（図２では左端部）に直接固定され、連結板３２１の端部３２１ａがバックライトシャーシ１０２の端部（図２では右端部）に直接固定され、連結板３２１の端部３２１ｂがバックライトシャーシ１０２の端部（図２では左端部）に直接固定されてもよい。
【００３４】
図７は、図３の矢印Ｄ方向から見た表示装置１の側面図である。調整ネジ３１５ｂは、ネジ部がプレート３１４ｂの貫通穴に挿入されてネジ頭がプレート３１４ｂ（固定板３１０）に固定され、ネジ先（及びネジ部）がバックライトシャーシ１０２のＶＥＳＡ規格に準じた位置に設けられたネジ穴１０２ｐに螺合されている。尚、ネジ穴１０２ｐは、ＶＥＳＡ規格に準じた位置に４箇所設けられている。プレート３１４ｂ（固定板３１０）とバックライトシャーシ１０２との間には、所定の間隔ｔ１の間隔が形成されている。上述したように、表示装置１は、両端部が固定板３１０、３２０に支持されており、固定板３１０、３２０とバックライトシャーシ１０２の背面との間に所定の間隔ｔ１が形成されているため、調整ネジ３１５ｂを締める方向に回す（締め付ける）ことにより、間隔ｔ１（距離）が狭くなって、バックライトシャーシ１０２が両端部（本発明の第１端部及び第２端部の一例）を支点にして図７に示す矢印方向に湾曲する（撓む）。このように、調整ネジ３１５ｂは、プレート３１４ｂとバックライトシャーシ１０２との間隔ｔ１を調整するための調整機能を有する。
【００３５】
同様に、調整ネジ３２５ｂは、ネジ部がプレート３２４ｂの貫通穴に挿入されてネジ頭がプレート３２４ｂ（固定板３２０）に固定され、ネジ先（及びネジ部）がバックライトシャーシ１０２のネジ穴１０２ｐに螺合されている。プレート３２４ｂとバックライトシャーシ１０２との間には所定の間隔ｔ１が形成されている。調整ネジ３２５ｂを締める方向に回ることにより、間隔ｔ１が狭くなって、バックライトシャーシ１０２が両端部を支点にして矢印方向に湾曲する。このように、調整ネジ３２５ｂは、プレート３２４ｂとバックライトシャーシ１０２との間隔ｔ１を調整するための調整機能を有する。調整ネジ３１５ａ、３２５ａについても同様である。すなわち、調整ネジ３１５ａ、３１５ｂ、３２５ａ、３２５ｂは、バックライトシャーシ１０２が両端部を支点にして背面側に湾曲するように所定の間隔ｔ１を調整する。
【００３６】
すなわち、表示装置１では、４箇所の調整ネジ３１５ａ、３１５ｂ、３２５ａ、３２５ｂを調整することにより、バックライトシャーシ１０２を含む表示装置１の撓み量（間隔ｔ１）を調整することができる。
【００３７】
図８Ａ及び図８Ｂは、調整ネジ３１５ａ、３１５ｂ、３２５ａ、３２５ｂを調整した場合に表示装置１が湾曲する様子を模式的に示す図である。図８Ａ及び図８Ｂでは、表示装置１を設置台５００に平置き設置した状態を示している。設置台５００は、例えば、固定板３１０、３２０の連結板３１１、３２１にネジ固定される。
【００３８】
図８Ａに示すように、固定板３１０は、両端の補強板３１２ａ、３１２ｂがバックライトシャーシ１０２の端部に強固にネジ固定されている。固定板３１０の中央部に配置された調整ネジ３１５ａ、３１５ｂのネジ頭が連結板３１１に固定されており、ネジ部がバックライトシャーシ１０２のネジ穴１０２ｐに螺合されている。
【００３９】
図８Ａに示す状態において、調整ネジ３１５ａ、３１５ｂを締める方向に回す（締め付ける）と、図８Ｂに示すように、固定板３１０の連結板３１１とバックライトシャーシ１０２との間隔ｔ１が狭くなって、バックライトシャーシ１０２が両端部を支点にして下方（矢印方向）に引っ張られて湾曲する（撓む）。ここで、タッチパネルディスプレイ１００及び光学シート１０１は、それぞれの自重により下方に撓む。タッチパネルディスプレイ１００及び光学シート１０１が自重により下方に撓んだとしても、バックライトシャーシ１０２は、調整ネジ３１５ａ、３１５ｂにより下方に湾曲するため、光学シート１０１とバックライトシャーシ１０２との間には所定の間隔が形成（維持）される。すなわち、タッチパネルディスプレイ１００及び光学シート１０１に撓みが発生した後（図８Ｂ参照）においても、撓みが発生する前の状態（図８Ａ参照）における間隔ｓ１が維持（確保）される。
【００４０】
このように、調整ネジ３１５ａ、３１５ｂ、３２５ａ、３２５ｂにより前記間隔ｔ１を調整することにより、光学シート１０１と支持部材１０５との間隔（距離）が調整され、光学シート１０１と支持部材１０５との間に所定の間隔が確保される。このため、プーリング現象の発生を防止することができる。上述の構成によれば、特に、表示装置１が大型化（例えば８０インチ）したり薄型化したりしても、タッチパネルディスプレイ１００及び光学シート１０１の撓み量に応じて前記間隔ｔ１を調整することができるため、プーリング現象の発生を防止することができる。尚、縦置き設置の状態において光学シート１０１と支持部材１０５とが接触するように組み付けられている場合には、接触部分の押圧力が変化しないように、調整ネジ３１５ａ、３１５ｂ、３２５ａ、３２５ｂにより前記間隔ｔ１が調整される。
【００４１】
本実施形態１に係る表示装置１では、調整ネジによるバックライトシャーシ１０２の撓み量（湾曲量）の調整は、４箇所の調整ネジで行われる。また、光学シート１０１とバックライトシャーシ１０２との間隔（図８Ｂのｓ１）は、４箇所の調整ネジ３１５ａ、３１５ｂ、３２５ａ、３２５ｂの締め具合により調整することが可能である。
【００４２】
本発明の表示装置は上述の構成に限定されない。例えば、固定板３１０の補強板３１２ａは、バックライトシャーシ１０２の背面の一方の長辺側（図３の上側）の端部（本発明の第１端部の一例）にネジ固定され、補強板３１２ｂは、バックライトシャーシ１０２の背面の他方の長辺側（図３の下側）の端部（本発明の第２端部の一例）にネジ固定されてもよい。
【００４３】
［実施形態２］
実施形態２に係る表示装置１では、調整ネジ３１５ａ、３１５ｂ、３２５ａ、３２５ｂが、固定板３１０、３２０の端部に配置されている。固定板３１０を例に挙げると、例えば図９Ａに示すように、固定板３１０の中央部分にはスペーサＳＰが配置される。スペーサＳＰは例えば中空形状を有し、内部にネジが挿通され、当該ネジにより固定板３１０とバックライトシャーシ１０２の中央付近（ＶＥＳＡ規格に準じた位置）とが固定される。これにより、スペーサＳＰ部分（中央付近）では、固定板３１０とバックライトシャーシ１０２との間隔が所定の間隔に維持される。また固定板３１０の端部に配置された調整ネジ３１５ａ、３１５ｂが、バックライトシャーシ１０２の背面の端部のネジ穴１０２ｐに螺合されている。
【００４４】
この状態において、調整ネジ３１５ａ、３１５ｂを緩める方向に回すことにより、図９Ｂに示すように、バックライトシャーシ１０２の端部が固定板３１０から離れる矢印方向に押し出される。これにより、バックライトシャーシ１０２の端部側において、固定板３１０とバックライトシャーシ１０２との間隔が広くなって、バックライトシャーシ１０２が湾曲する。またタッチパネルディスプレイ１００及び光学シート１０１も、固定板３１０から離れる矢印方向に押し上げられる。よって、上述の構成と同様に、光学シート１０１と支持部材１０５との間に所定の間隔が確保されるため、プーリング現象の発生を防止することができる。
【００４５】
以上のように、実施形態１及び２に係る表示装置１において、調整ネジ３１５ａ、３１５ｂ、３２５ａ、３２５ｂ（本発明の調整部材の一例）は、バックライトシャーシ１０２が背面側に湾曲するように、連結板３１１、３２１とバックライトシャーシ１０２の背面との間の所定の間隔を調整する機能を有する。
【００４６】
また前記調整ネジに、予め高さが定められたスペーサを設けてもよい。例えば、図８Ａに示す構成において、前記調整ネジを、初期の間隔ｔ１より低い前記スペーサに挿通して、締める方向に回すことにより、間隔ｔ１が前記スペーサの高さに固定される。これにより、バックライトシャーシ１０２の湾曲の形状を一定にすることができ、間隔ｔ１を調整する手間が省ける。尚、高さが異なるスペーサに交換することにより、間隔ｔ１を調整してもよい。
【００４７】
上述の各実施形態における構成では、４個の調整ネジを用いてバックライトシャーシ１０２を湾曲させているが、調整ネジの数は限定されず、少なくとも１個設けられていればよい。１個の調整ネジを用いる場合、当該調整ネジは、例えばバックライトシャーシ１０２の背面の中央部分に取り付けられる。
【符号の説明】
【００４８】
１        ：表示装置
１００    ：タッチパネルディスプレイ
１０１    ：光学シート
１０２    ：バックライトシャーシ
１０２ｐ  ：ネジ穴
１０４    ：ＬＥＤ
１０５    ：支持部材
１１０    ：タッチパネル
１２０    ：表示部
１３０    ：バックライト
３１０    ：固定板
３１１    ：連結板
３１２ａ  ：補強板
３１２ｂ  ：補強板
３１５ａ  ：調整ネジ
３１５ｂ  ：調整ネジ
３２０    ：固定板
３２１    ：連結板
３２２ａ  ：補強板
３２２ｂ  ：補強板
３２５ａ  ：調整ネジ
３２５ｂ  ：調整ネジ
５００    ：設置台
【図１】
2019197339.tif 000003
【図２Ａ】
2019197339.tif 000004
【図２Ｂ】
2019197339.tif 000005
【図２Ｃ】
2019197339.tif 000006
【図３】
2019197339.tif 000007
【図４】
2019197339.tif 000008
【図５】
2019197339.tif 000009
【図６】
2019197339.tif 000010
【図７】
2019197339.tif 000011
【図８Ａ】
2019197339.tif 000012
【図８Ｂ】
2019197339.tif 000013
【図９Ａ】
2019197339.tif 000014
【図９Ｂ】
2019197339.tif 000015